(57)【特許請求の範囲】
【請求項１】
所定のマスタークロックを分周して第１の周波数の第1のクロックを出力するとともに、前記マスタークロックを分周して前記第１の周波数と異なる第２の周波数の第２のクロックを出力する分周手段と、
前記第１のクロックに基づいて外部から入力される第１のオーディオ信号およびビデオ信号を第１の記録媒体に記録する記録手段と、
前記第１のオーディオ信号およびビデオ信号の前記第１の記録媒体への記録と同時に、前記第２のクロックに基づいて第２の記録媒体に記録されている第２のオーディオおよびビデオ信号を再生する再生手段と、
前記第１または第２のビデオ信号のいずれか一方のビデオ信号による画像を親画面、他方のビデオ信号による画像を子画面とする合成画像を生成し、出力する画像出力手段と、
前記第１または第２のクロックのいずれかを選択して出力する選択クロック出力手段と、
前記第１または第２のオーディオ信号を選択し、前記選択クロック出力手段から供給されるクロックに基づいて、その選択されたオーディオ信号による音声を出力する音声出力手段と、
前記親画面と子画面の入れ替えを示すユーザの指示を検出する指示検出手段と
を備え、
前記選択クロック出力手段は、前記ユーザの指示に応じて、前記親画面に対応するオーディオ信号のための前記第１または第２のクロックのいずれかを選択し、
前記音声出力手段は、選択されたクロックに基づいて前記親画面に対応する音声を出力する
ことを特徴とする情報処理装置。
【請求項２】
前記画像出力手段は、前記記録手段による記録処理と前記再生手段による再生処理のうち、最初に処理が指示された方のビデオ信号による画像を親画面とする合成画像を生成する
ことを特徴とする請求項１に記載の情報処理装置。
【請求項３】
所定のマスタークロックを分周して第１の周波数の第1のクロックを出力するとともに、前記マスタークロックを分周して前記第１の周波数と異なる第２の周波数の第２のクロックを出力する分周ステップと、
前記第１のクロックに基づいて外部から入力される第１のオーディオ信号およびビデオ信号を第１の記録媒体に記録する記録ステップと、
前記第１のオーディオ信号およびビデオ信号の前記第１の記録媒体への記録と同時に、前記第２のクロックに基づいて第２の記録媒体に記録されている第２のオーディオおよびビデオ信号を再生する再生ステップと、
前記第１または第２のビデオ信号のいずれか一方のビデオ信号による画像を親画面、他方のビデオ信号による画像を子画面とする合成画像を生成し、出力する画像出力ステップと、
前記第１または第２のクロックのいずれかを選択して出力する選択クロック出力ステップと、
前記第１または第２のオーディオ信号を選択し、前記選択クロック出力ステップの処理により供給されるクロックに基づいて、その選択されたオーディオ信号による音声を出力する音声出力ステップと、
前記親画面と子画面の入れ替えを示すユーザの指示を検出する指示検出ステップと
を含み、
前記選択クロック出力ステップの処理は、前記ユーザの指示に応じて、前記親画面に対応するオーディオ信号のための前記第１または第２のクロックのいずれかを選択し、
前記音声出力ステップの処理は、選択されたクロックに基づいて前記親画面に対応する音声を出力する
ことを特徴とする情報処理方法。
【発明の詳細な説明】
【０００１】
【発明の属する技術分野】
本発明は、情報処理装置および方法に関し、特に、コンテンツ情報の出力の切換えを瞬時に行うことができるようにした、情報処理装置および方法に関する。
【０００２】
【従来の技術】
記録再生装置としては、２つの記録媒体を備えたものが考えられる。例えば、１つはハードディスクとし、もう１つは、光ディスクとされる。
【０００３】
ハードディスクは、光ディスクと比べて容量（例えば、８０GB乃至１６０GB）が大きいため、空き容量を気にすることなく、気軽に録画と再生ができるという特徴がある。また、外部からディスクを装着する必要がないため、コストがかからず、記録、または、再生の度にディスクを挿入する手間も省くことができ、使い勝手がよい。
【０００４】
一方、光ディスクは、記録、または、再生を行うためには、ディスクを装着する必要があり、４．７GBの容量で、１回記録用のディスクは約１０００円、書き換え可能なディスクは、約２０００円乃至３０００円と、高価である。また、１枚のディスクに記録可能な容量も、ハードディスクと比較して少ないため、空き容量を考慮して記録する必要がある。
【０００５】
上記のようなハードディスクと光ディスクの特徴を考慮すると、一時的に記録したい場合、または、２，３度見れば済むような場合は、ハードディスクに記録し、永久、または、半永久的に保存したい場合、または、編集したものを記録する場合は、光ディスクに記録する、というような使い分けが行われる。
【０００６】
【発明が解決しようとする課題】
ところで、ハードディスクにデータを記録する場合、そのサンプリングクロックの周波数は４８ｋHzとされる。これに対して、DVD(Digital Versatile Disk)再生の場合、サンプリングクロックの周波数は、４８ｋHzか、または９６ｋHzとされ、CD(Compact Disk)やビデオCDの場合は、４４．１ｋHzとされる。
【０００７】
従来、このようなサンプリングクロックは、１つのマスタークロックそのものの周波数を変更することで生成していた。
【０００８】
その結果、例えば、４８ｋHzの周波数のクロックでハードディスクにデータを記録し、４４．１ｋHzの周波数のクロックでCDを再生する場合、マスタークロックの周波数の設定を変更する必要があるため、クロックが安定するまでに時間がかかり、結局、音声の切り替えがスムーズにできないという課題があった。
【０００９】
本発明は、このような状況に鑑みてなされたものであり、コンテンツ情報の出力の切換えを瞬時に行うことができるようにするものである。
【００１０】
【課題を解決するための手段】
本発明の情報処理装置は、所定のマスタークロックを分周して第１の周波数の第1のクロックを出力するとともに、マスタークロックを分周して第１の周波数と異なる第２の周波数の第２のクロックを出力する分周手段と、第１のクロックに基づいて外部から入力される第１のオーディオ信号およびビデオ信号を第１の記録媒体に記録する記録手段と、第１のオーディオ信号およびビデオ信号の第１の記録媒体への記録と同時に、第２のクロックに基づいて第２の記録媒体に記録されている第２のオーディオおよびビデオ信号を再生する再生手段と、第１または第２のビデオ信号のいずれか一方のビデオ信号による画像を親画面、他方のビデオ信号による画像を子画面とする合成画像を生成し、出力する画像出力手段と、第１または第２のクロックのいずれかを選択して出力する選択クロック出力手段と、第１または第２のオーディオ信号を選択し、選択クロック出力手段から供給されるクロックに基づいて、その選択されたオーディオ信号による音声を出力する音声出力手段と、親画面と子画面の入れ替えを示すユーザの指示を検出する指示検出手段とを備え、選択クロック出力手段は、ユーザの指示に応じて、親画面に対応するオーディオ信号のための第１または第２のクロックのいずれかを選択し、音声出力手段は、選択されたクロックに基づいて親画面に対応する音声を出力することを特徴とする。
【００１１】
画像出力手段には、記録手段による記録処理と再生手段による再生処理のうち、最初に処理が指示された方のビデオ信号による画像を親画面とする合成画像を生成させることができる。
【００１３】
本発明の情報処理方法は、所定のマスタークロックを分周して第１の周波数の第1のクロックを出力するとともに、マスタークロックを分周して第１の周波数と異なる第２の周波数の第２のクロックを出力する分周ステップと、第１のクロックに基づいて外部から入力される第１のオーディオ信号およびビデオ信号を第１の記録媒体に記録する記録ステップと、第１のオーディオ信号およびビデオ信号の第１の記録媒体への記録と同時に、第２のクロックに基づいて第２の記録媒体に記録されている第２のオーディオおよびビデオ信号を再生する再生ステップと、第１または第２のビデオ信号のいずれか一方のビデオ信号による画像を親画面、他方のビデオ信号による画像を子画面とする合成画像を生成し、出力する画像出力ステップと、第１または第２のクロックのいずれかを選択して出力する選択クロック出力ステップと、第１または第２のオーディオ信号を選択し、選択クロック出力ステップの処理により供給されるクロックに基づいて、その選択されたオーディオ信号による音声を出力する音声出力ステップと、親画面と子画面の入れ替えを示すユーザの指示を検出する指示検出ステップとを含み、選択クロック出力ステップの処理は、ユーザの指示に応じて、親画面に対応するオーディオ信号のための第１または第２のクロックのいずれかを選択し、音声出力ステップの処理は、選択されたクロックに基づいて親画面に対応する音声を出力することを特徴とする。
【００１４】
本発明においては、所定のマスタークロックを分周して第１の周波数の第1のクロックが出力されるとともに、マスタークロックを分周して第１の周波数と異なる第２の周波数の第２のクロックが出力される。そして、第１のクロックに基づいて外部から入力される第１のオーディオ信号およびビデオ信号が第１の記録媒体に記録され、第１のオーディオ信号およびビデオ信号の第１の記録媒体への記録と同時に、第２のクロックに基づいて第２の記録媒体に記録されている第２のオーディオおよびビデオ信号が再生される。また、第１または第２のビデオ信号のいずれか一方のビデオ信号による画像を親画面、他方のビデオ信号による画像を子画面とする合成画像が生成され、親画面と子画面の入れ替えを示すユーザの指示に応じて親画面に対応するオーディオ信号のための、第１または第２のクロックのいずれかが選択され、その選択されたクロックに対応するオーディオ信号による音声が出力される。
【００１５】
【発明の実施の形態】
図１は、本発明を適用したディスク記録再生装置の構成例を示している。
【００１６】
このディスク記録再生装置１は、記録再生部５において、ハードディスク５Ａまたは光ディスク５Ｂに対して、AV（Audio Video）信号などのコンテンツ情報を記録、または、再生する。記録再生部５に記録されるAV信号、または、記録再生部５から再生されたAV信号は、外部のモニタ２０とスピーカ３０に出力される。ユーザは、記録、または、再生しているAV信号のうちのどちらをモニタ２０とスピーカ３０に出力するか、ユーザインタフェース（図示せず）を介して指定する。
【００１７】
制御部２は、ユーザインタフェースから入力されるユーザの操作に対応する信号に基づいて、ディスク記録再生装置１の各部を制御する。制御部２は、例えば、制御部２の内部に有する発振部３において、固定された周波数のマスタークロックを生成し、分周部４Ａ、および、分周部４Ｂに供給する。分周部４Ａで、所定の分周比で分周され、生成されたクロック（ハードディスク５Ａの記録または再生に用いられるクロック）は、サンプリングレートコンバータ９、A/Dコンバータ１２、エンコーダ１３、およびクロック選択部６に供給される。また、分周部４Ｂで、マスタークロックを所定の分周比で分周することで生成されたクロック（光ディスク５Ｂの記録または再生に用いられるクロック）は、デコーダ１４とクロック選択部６に供給される。
【００１８】
例えば、i.LINK（商標）を介して伝送されてきたデジタルAV信号、あるいは、デジタルBS（Broadcasting Satellite）/CS（Communications Satellite）チューナ（図示せず）により受信され、出力されたデジタルAV信号は、コーデック７に入力される。コーデック７は、入力されたデジタルAV（Audio Video）信号のうちビデオ信号の圧縮を解除し（伸長し）、NTSCデコーダ８に出力する。
【００１９】
サンプリングレートコンバータ９は、入力されたデジタルAV信号のうちのデジタルオーディオ信号のサンプリングレートを異なるサンプリングレートに変換し、切換部１０に出力する。
【００２０】
選択部１１は、図示せぬアナログチューナからの入力、またはアナログライン入力の一方をユーザからの操作に基づき選択し、そのうちのアナログビデオ信号をNTSCデコーダ８に出力し、アナログオーディオ信号をA/Dコンバータ１２に出力する。
【００２１】
A/Dコンバータ１２は、入力されたアナログオーディオ信号をA/D変換し、切換部１０に出力する。
【００２２】
切換部１０は、サンプリングレートコンバータ９より入力されたデジタルオーディオ信号と、A/Dコンバータ１２より入力されたデジタルオーディオ信号のいずれか一方を、ユーザの指示に基づき選択する。
【００２３】
NTSCデコーダ８は、コーデック７より入力されたデジタルビデオ信号、または選択部１１より入力されたアナログビデオ信号を、NTSC方式のデジタルビデオ信号に変換し、切換部１０より出力されたデジタルオーディオ信号と合成し、出力する。
【００２４】
合成されたデジタルAV信号は、エンコーダ１３に入力され、所定の方式でエンコードされた後、記録再生部５に供給され、例えばハードディスク５Ａに記録される。
【００２５】
合成されたデジタルAV信号のうち、デジタルビデオ信号は、ビデオ信号処理部１５に供給される。ビデオ信号処理部１５にはまた、記録再生部５により、ハードディスク５Ａまたは光ディスク５Ｂより再生され、デコーダ１４よりデコードされたデジタルAV信号のうちのデジタルビデオ信号も供給される。
【００２６】
ビデオ信号処理部１５は、NTSCデコーダ８とデコーダ１４より供給されたデジタルビデオ信号を１枚のフレームの画像として合成し、NTSCエンコーダ１６に供給する。NTSCエンコーダ１６は、入力されたデジタルビデオ信号をNTSC方式のビデオ信号にエンコードし、モニタ２０に出力する。
【００２７】
D/Aコンバータ１７は、NTSCデコーダ８より出力されたデジタルAV信号のうちのデジタルオーディオ信号、またはデコーダ１４より出力されたデジタルAV信号のうちのデジタルオーディオ信号のうちの一方をD/A変換し、スピーカ３０に出力する。
【００２８】
制御部２には、ドライブ１００が必要に応じて接続される。ドライブ１００には、磁気ディスク１０１（フロッピディスクを含む）、光ディスク１０２（CD-ROM(Compact Disk-Read Only Memory),DVD(Digital Versatile Disk)を含む）、光磁気ディスク１０３（ＭＤ（Mini-Disk）を含む）、または、半導体メモリ１０４が必要に応じて装着され、データの授受を行うようになされている。
【００２９】
次に、図２のフローチャートを参照して、記録媒体のサンプリングクロック切換え処理について説明する。なお、この処理は、ディスク記録再生装置１の電源がオンされたとき開始される。
【００３０】
ステップＳ１で、制御部２は、記録用のクロックの周波数ｆsrecを４８ｋHzに、再生用のクロックの周波数ｆspbを４８ｋHzに、それぞれ初期設定する。
【００３１】
ステップＳ２で、制御部２は、ユーザインタフェースを介して、ユーザがデータの再生、記録、または、スルー出力を指令したか否かを判定する。ここで、記録とは、ハードディスク５Ａに記録することを意味する。ハードディスク５Ａに記録されたデータは、必要に応じて光ディスク５Ｂに転送され、記録される。そして、ここで再生とは、光ディスク５Ｂに記録されたデータを再生することを意味する。さらに、スルー出力とは、ディスク記録再生装置１に入力されたAV信号を、記録再生部５に記録することなく、モニタ２０、および、スピーカ３０に出力することをいう。ユーザが、再生、記録、または、スルー出力のいずれかの選択を指令するまで、このステップＳ２の処理が繰り返される。
【００３２】
ステップＳ２において、再生が選択されたと判定された場合、制御部２は、ステップＳ３で、光ディスク５Ｂから再生するオーディオ信号のサンプリングクロックの周波数ｆsは、現在設定されている再生用クロックの周波数ｆspbと等しいか否かを判定し、等しくないと判定された場合、処理をステップＳ４に進める。例えば、記録再生部５に装着され、これから再生される光ディスク５ＢがCDである場合、そのサンプリング周波数は、４４．１kHzである。これに対して、光ディスク５ＡがDVDである場合、サンプリングクロックの周波数は、４８kHzまたは９６kHzである。
【００３３】
ステップＳ３において、再生するオーディオ信号のサンプリングクロックの周波数ｆsが、現在設定されている再生用クロックの周波数ｆspbと等しくないと判定された場合、制御部２は、ステップＳ４で、分周部４Ｂの分周比を、周波数ｆsのクロックを生成する値に設定する。すなわち、再生する光ディスク５ＢがCDである場合には、４４．１kHzの周波数のクロックが生成されるように分周比が設定され、DVDである場合には、４８kHzまたは９６kHzの周波数のクロックが生成されるように分周比が設定される。
【００３４】
ステップＳ３で、再生するオーディオ信号のサンプリングクロックの周波数ｆsは、現在設定されている再生用クロックの周波数ｆspbと等しいと判定された場合、ステップＳ４の処理は、スキップされる。ステップＳ４の処理の後、または、ステップＳ３において、再生するオーディオ信号のサンプリングクロックの周波数ｆsが、現在設定されている再生用クロックの周波数ｆspbと等しいと判定された場合、ステップＳ５で、クロック選択部６は、制御部２の指令に基づいて、分周部４Ｂが出力する再生用クロックを選択する。
【００３５】
ステップＳ６で、D/Aコンバータ１７は、入力された再生用クロックに同期して、デコーダ１４より供給された、オーディオ信号をD/A変換し、スピーカ３０に出力する。
【００３６】
すなわち、この場合、記録再生部５は、光ディスク５Ｂより再生されたAVデータをデコーダ１４に出力し、デコードさせる。デコーダ１４によりデコードされたAV信号のうち、ビデオ信号は、ビデオ信号処理部１５を介してNTSCエンコーダ１６に供給され、NTSC方式のビデオ信号に変換された後、モニタ２０に出力され、表示される。
【００３７】
一方、デコーダ１４より出力されたオーディオデータは、D/Aコンバータ１７によりD/A変換された後、スピーカ３０から出力される。
【００３８】
その後、処理は、ステップＳ２に戻り、それ以降の処理が繰り返される。
【００３９】
一方、ステップＳ２において、ユーザが、ユーザインタフェースを介して、記録、または、スルー出力を選択したと判定された場合、ステップＳ７で、クロック選択部６は、制御部２の指令に基づいて、分周部４Ａが出力した記録用クロックを選択する。
【００４０】
すなわち、このディスク記録再生装置１においては、データは、一旦ハードディスク５Ａに記録される。ハードディスク５Ａにデータを記録する場合、記録用クロックの周波数は、４８kHzとされる。分周部４Ａの分周比は、ステップＳ１の処理で、既に、この４８kHzの周波数の記録用クロックを生成するように、その分周比が制御されている。分周部４Ａにより生成された記録用クロックは、ハードディスク５Ａにデータを記録するのに必要な各部に供給される。
【００４１】
すなわち、例えば、コーデック７は、入力されたAV信号のうちのビデオ信号を伸長した後、NTSCデコーダ８に出力する。サンプリングレートコンバータ９は、入力されたAV信号のうちのオーディオ信号を、分周部４Ａより供給される４８kHzの周波数のクロックでサンプリングレートを変換し、切換部１０に出力する。
【００４２】
NTSCデコーダ８は入力されたビデオ信号を、NTSC方式のビデオ信号にデコードし、切換部１０より出力されたオーディオ信号と合成する。記録が指令されている場合、合成されたAV信号は、エンコーダ１３によりエンコードされた後、ハードディスク５Ａに供給され、記録される。
【００４３】
あるいはまた、選択部１１により選択されたチューナ入力またはライン入力のうちのビデオ信号は、NTSCデコーダ８に供給され、NTSC方式のビデオ信号にデコードされる。また、A/Dコンバータ１２は、選択部１１より供給されたAV信号のうちのオーディオ信号をA/D変換し、切換部１０を介してNTSCデコーダ８に供給してビデオ信号と合成させる。そして、記録が指令されている場合、合成されたAV信号が、エンコーダ１３によりエンコードされた後、ハードディスク５Ａに供給され、記録される。
【００４４】
ステップＳ８で、D/Aコンバータ１７は、クロック選択部６により選択され、供給された、分周部４Ａにより生成された記録用クロックに同期して、NTSCデコーダ８より出力されたAV信号のうちのオーディオ信号（記録しているオーディオ信号、または、記録せず、スルーするオーディオ信号）をD/A変換し、スピーカ３０に出力する。その後、処理は、ステップＳ２に戻り、それ以降の処理が繰り返される。
【００４５】
スルー出力が指令された場合には、NTSCデコーダ８より出力されたAV信号がハードディスク５Ａに記録されることなく、モニタ２０またはスピーカ３０から出力される。
【００４６】
次に、図３と図４のフローチャート、並びに、図５乃至図８を参照して、記録と再生が同時に行われる場合のディスク記録再生処理について説明する。
【００４７】
例えば、ユーザがアナログチューナ（図示せず）により受信された所定のチャンネルのAV信号の記録を指令した場合、ステップＳ２１で、選択部１１は、チューナより出力されたAV信号を入力する。
【００４８】
ユーザがユーザインタフェースを介してハードディスク５Ａの記録開始を指示すると、ステップＳ２２で、制御部２は、この指示を検出する。ステップＳ２３で、制御部２は記録再生部５を制御し、ステップＳ２１の処理で入力されたAV信号のハードディスク５Ａへの記録を開始させる。このとき上述したように、記録用クロックの周波数ｆsrecは、図２のステップＳ１で設定された４８ｋHzとされている。
【００４９】
また、このとき、上述したように、NTSCデコーダ８より出力され、エンコーダ１３によりエンコードされて、ハードディスク５Ａに記録されているAV信号のうち、ビデオ信号は、ビデオ信号処理部１５を介してNTSCエンコーダ１６に入力され、そこでエンコードされ、モニタ２０に出力され、表示される。また、NTSCデコーダ８より出力されたAV信号のうちのオーディオ信号が、D/Aコンバータ１７によりD/A変換された後、スピーカ３０から出力される。
【００５０】
このようにして、例えば、モニタ２０には、図５に示されるように、ハードディスク５Ａに記録されている画像４１が表示され、スピーカ３０からは記録用の画像に対応する音声RAが出力される。
【００５１】
このような状態において、例えば、ユーザが光ディスク５Ｂの再生を指令すると、ステップＳ２４において、制御部２は、ユーザからの光ディスクの再生指示を検出する。このとき、制御部２は、ステップＳ２５において、分周部４Ｂの分周比を、生成されるクロックの周波数が、４４．１kHzまたは９６kHzの周波数になるように設定する。クロックの周波数は、再生する光ディスク５ＢがCDまたはビデオCDである場合、４４．１kHzに設定され、DVDである場合、９６kHzとされる。
【００５２】
ステップＳ２６において、制御部２は、記録再生部５を制御し、光ディスク５Ｂの再生を開始させ、再生された映像と再生された音声を出力させる。
【００５３】
すなわち、デコーダ１４は、分周部４Ｂより供給されたクロックに同期して、光ディスク５Ｂより再生されたAVデータをデコードし、ビデオデータをビデオ信号処理部１５に出力し、オーディオデータをD/Aコンバータ１７に出力する。
【００５４】
ビデオ信号処理部１５は、入力されたビデオ信号を、NTSCエンコーダ１６を介してモニタ２０に出力させ、表示させる。また、D/Aコンバータ１７は、入力されたオーディオ信号をD/A変換して、スピーカ３０から出力させる。
【００５５】
このようにして、いまの場合、図６に示されるように、モニタ２０には、再生画像４２が表示され、スピーカ３０からは、再生画像４２に対応する再生音声PAが出力される。
【００５６】
このときD/Aコンバータ１７に供給されるクロックの周波数が変化するが、それぞれのクロックは、分周部４Ａと分周部４Ｂで独立に生成されているものなので、クロックが安定するのを待つ必要はない。従って、音声は、切換え時に途切れるようなことなく、瞬時に、滑らかに切換えられる。
【００５７】
いま、チューナ入力をハードディスク５Ａに記録しつつ、光ディスク５Ｂの再生が指示された状態であるため、ユーザは、２つの映像を同時にモニタ２０に表示させたい場合、ユーザインタフェースを制御し、PinP（ピクチャインピクチャ）モードを指令する。ステップＳ２７において、制御部２は、このPinPモードの指示を検出すると、ステップＳ２８において、ビデオ信号処理部１５を制御し、親画面としては、いま光ディスク５Ｂが再生している映像（より最近、処理を指示した映像）を選択させ、子画面としては、いまハードディスク５Ａに記録している映像（より過去に、処理を指示した映像）を選択させる。また、制御部２は、D/Aコンバータ１７を制御し、音声としては、親画面として選択されている音声を選択させる。すなわち、いまの場合、再生映像に対応する音声を選択させる。
【００５８】
すなわち、ビデオ信号処理部１５は、制御部２からの制御に基づいて、デコーダ１４より供給された光ディスク５Ｂからの再生画像を親画面とし、NTSCデコーダ８より供給される画像を子画面とするように画像合成処理を行い、NTSCエンコーダ１６を介してモニタ２０に出力し、表示させる。また、D/Aコンバータ１７は、制御部２により制御され、デコーダ１４より供給される再生AV信号のオーディオ信号を出力する。
【００５９】
このようにして、図７に示されるように、いまの場合、モニタ２０には、親画面としての光ディスク５Ｂからの再生画像４２に、子画面としてのNTSCデコーダ８からの記録画像４１が合成されて、表示される。そして、スピーカ３０からは、親画面としての再生画像４２に対応する再生音声PAが出力される。
【００６０】
ユーザは、親画面の画像と子画面の画像を入れ換える場合、入れ換えを指令する。そこでステップＳ２９において、制御部２は、ユーザから画面の入れ換え指示を検出したか否かを判定し、検出したと判定した場合には、ステップＳ３０に進み、親画面の画像と子画面の画像を入れ換える処理を行うとともに、親画面の音声を出力するように切換処理を行う。
【００６１】
すなわち、いまの場合、図７に示されるように、親画面として再生画像４２が表示され、子画面として記録画像４１が表示されていた状態のものが、図８に示されるように、親画面として記録画像４１が表示され、子画面として再生画像４２が表示される。そして、スピーカ３０からは、親画面としての記録画像４１に対応する記録音声RAが出力される。この場合においても、クロックが独立に生成されているため、切換えは、途切れることなく、瞬時に行われる。
【００６２】
ステップＳ２９において、入れ換え指示が検出されていないと判定された場合、ステップＳ３０の処理はスキップされる。
【００６３】
ステップＳ３０の処理の後、またはステップＳ２９において、入れ換え指示が検出されていない判定された場合、ステップＳ３１において、制御部２は、PinPモードの終了が指示されたか否かを判定する。PinPモードの終了が指示されていない場合、ステップＳ２９に戻り、それ以降の処理が繰り返し実行される。
【００６４】
ステップＳ３１において、PinPモードの終了が指令されていると判定された場合、ステップＳ３２に進み、制御部２は、子画面の映像を消去し、親画面の映像のみを出力するようにビデオ信号処理部１５を制御する。また、制御部２は、D/Aコンバータ１７を制御して、親画面に対応する音声をスピーカ３０に選択、出力させる。
【００６５】
ユーザが、その後、ハードディスク５Ａへの記録の停止を指示すると、ステップＳ３３において、制御部２は、これを検出する。このとき、ステップＳ３４において、制御部２は、記録再生部５を制御して、ハードディスク５Ａへのデータの記録動作を停止させる。
【００６６】
また、ユーザが、光ディスク５Ｂの再生停止を指示した場合には、ステップＳ３５において、制御部２は、この光ディスクの再生停止指示を検出し、ステップＳ３６において、記録再生部５を制御して、光ディスク５Ｂの再生処理を停止させる。
【００６７】
このように、記録する音声を制御する（ハードディスク５Ａを制御する）周波数ｆsrecのクロックを生成する分周部４Ａと、再生する音声を制御する（光ディスク５Ｂを制御する）周波数ｆspbのクロックを生成する分周部４Ｂを、それぞれ別に設けることにより、異なる記録媒体に対して、記録と再生を同時に行うことが可能となる。また、記録と再生のクロックの周波数が異なる場合においても、同時に生成することが可能となる。従って、記録と再生の音声の切換え（ディスクの切換え、あるいはコンテンツの切換え）を瞬時に行うことが可能になる。
【００６８】
以上においては、記録再生部５において記録する記録媒体として、ハードディスク５Ａと光ディスク５Ｂを用いた場合を例としたが、記録媒体はこれに限られるものではない。また、記録、再生する（切換える）コンテンツの信号は、オーディオ信号に限らず、ビデオ信号としてもよい。
【００６９】
上述した一連の処理は、ハードウエアにより実行させることもできるが、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、ネットワークやプログラム格納媒体からインストールされる。
【００７０】
このプログラム格納媒体は、図１に示されるように、装置本体とは別に、ユーザにプログラムを提供するために配布される、プログラムが記録されている磁気ディスク１０１、光ディスク１０２、光磁気ディスク１０３、もしくは半導体メモリ１０４などよりなるパッケージメディアにより構成される。
【００７１】
なお、本明細書において、プログラム格納媒体に記録されるプログラムを記述するステップは、記載された順序に沿って時系列的に行われる処理はもちろん、必ずしも時系列的に処理されなくとも、並列的あるいは個別に実行される処理をも含むものである。
【００７２】
【発明の効果】
以上のように、本発明によれば、第１のクロックに基づいて処理された第１のコンテンツ情報、または、第２のクロックに基づいて処理された第２のコンテンツ情報のうちの、選択されたコンテンツ情報を出力する場合において、コンテンツ情報の出力を、途切れさせることなく、瞬時に切換えることができる。
【図面の簡単な説明】
【図１】本発明を適用したディスク記録再生装置の一実施の形態の構成例を示す図である。
【図２】図１のディスク記録再生装置のクロック切換え処理を説明するフローチャートである。
【図３】図１のディスク記録再生装置のディスク記録再生処理を説明するフローチャートである。
【図４】図１のディスク記録再生装置のディスク記録再生処理を説明するフローチャートである。
【図５】出力している映像と出力している音声の関係を示す図である。
【図６】出力している映像と出力している音声の関係を示す図である。
【図７】  PinPモードにおける出力している映像と出力している音声の関係を示す図である。
【図８】  PinPモードにおける出力している映像と出力している音声の関係を示す図である。
【符号の説明】
１  ディスク記録再生装置，  ２  制御部，  ３  発振部，  ４Ａ，４Ｂ  分周部，  ５  記録再生部，  ５Ａ  ハードディスク，  ５Ｂ  光ディスク，  ６クロック選択部，  ７  コーデック，  ８  NTSCデコーダ，  ９  サンプリングレートコンバータ，  １０  切換部，  １１  選択部，  １２  A/Dコンバータ，  １３  エンコーダ，  １４  デコーダ，  １５  ビデオ信号処理部，  １６  NTSCエンコーダ，  １７  D/Aコンバータ，  ２０  モニタ，  ３０  スピーカ
【図１】
0004062425.tif 000002
【図２】
0004062425.tif 000003
【図３】
0004062425.tif 000004
【図４】
0004062425.tif 000005
【図５】
0004062425.tif 000006
【図６】
0004062425.tif 000007
【図７】
0004062425.tif 000008
【図８】
0004062425.tif 000009